(57)【要約】      （修正有）【課題】監視カメラで撮影した画像を、パソコン、携帯電話器、ＰＤＡなどのディスプレイに表示して遠隔監視し、その画像の保存なども可能であり、しかも、監視ポイントの操作がディスプレイに表示されている操作盤の押ボタンスイッチを画面上で操作して行うことができる遠隔監視システムを提供することにある。【解決手段】複数の監視ポイントごとに設置した監視カメラと監視ポイント近傍又は監視施設に設置したパソコンとを有線又は無線で接続し、該パソコンと遠隔地のパソコンなどのディスプレイを備えた通信端末機器とをインターネット接続し、通信端末機器のディスプレイに、前記撮影した監視ポイントの画像と、該監視カメラの選択と制御を行う押ボタン画像とを表示させ、監視カメラの切替と制御、監視施設に設けた設備機器の操作などが、前記端末機器のマウス、キーボード、キーなどを操作して遠隔操作で行われるように構成した。【選択図】図１
2006115435.tif 000002
【特許請求の範囲】
【請求項１】
複数の監視ポイントごとに設置した監視カメラと監視ポイント近傍又は監視施設に設置したパソコンとが有線又は無線で接続され、該パソコンと、遠隔地のパソコン、携帯電話器、ＰＤＡなどのディスプレイを備えた通信端末機器とが、通信回線又は無線によるインターネット又はイントラネットで接続されて、監視ポイントの様子が遠隔地から知り得る、その様子が記憶可能に構成されている遠隔監視システムであって、
前記通信端末機器のディスプレイには、前記監視カメラで撮影した監視ポイントの画像が表示可能であり、
さらに、前記通信端末機器を操作して、前記監視カメラを制御させ、或いは、前記通信端末機器に表示されている画像をズームアップさせて、通信端末機器のディスプレイに、監視ポイントに設けられている設備機器の操作盤の操作パネルを拡大表示し、この操作パネルに設けられている押ボタン画像をディスプレイ上で押操作することにより、前記操作盤の操作が遠隔操作されるようにプログラム制御されていることを特徴とする遠隔監視システム。
【請求項２】
前記設備機器が、監視カメラの操作盤である請求項１に記載の遠隔監視システム。
【請求項３】
前記設備機器が、駐車場の操作盤である請求項１又は２に記載の遠隔制御システム。
【請求項４】
前記設備機器が、建物又は施設の扉、ゲート、窓などの電気錠である請求項１に記載の遠隔制御システム。
【請求項５】
前記設備機器が、店舗内に設置されているＰＯＳレジスタである請求項１に記載の遠隔制御システム。
【請求項６】
前記監視カメラは、ＰＯＳレジスタのキー、バーコードスキャナー、非接触式ＩＤ］チップの読取器の少なくともいずれかを含めた周辺部をズームアップすることが可能であり、かつ、
ズームアップして前記通信端末機器のディスプレイに表示された画像と、ＰＯＳレジスタに入力されて前記通信端末機器のディスプレイに表示された売上げ明細の画像とが、時間タイミングを合わせて同時表示され、かつ記憶可能に構成されている請求項５に記載の遠隔監視システム。
【発明の詳細な説明】
【技術分野】
【０００１】  本発明は、監視カメラで撮影した画像を、パソコン、携帯電話器、ＰＤＡなどのディスプレイに表示して遠隔監視し、その画像の保存なども可能であり、しかも、監視ポイントの操作が、ディスプレイに表示されている操作盤の押ボタンスイッチを画面上で操作して行うことができる遠隔監視システムに関する。
【背景技術】
【０００２】  監視カメラとパソコンを用いて、監視ポイントの様子を遠隔地からディスプレイを通じて知る監視システムは、従来から、ビルや店舗内の防犯管理、一般家屋の防犯管理に用いられており、このように、監視カメラとパソコンとを組み合わせると、複数台の監視カメラで撮影した画像の切り替えが出来、複数の監視カメラで撮影した画像を１台のディスプレイに分割表示することが出来、更に、監視カメラで撮影した画像データを圧縮して記憶媒体に格納して大容量保存出来るなどの利点がある。
更に、最近では、特開２００２−１３３５５９号公報に記載の管理対象施設の遠隔管理方法、特開２０００−１０５８９６号公報に記載の自動車の駐車場総合サービスを行う方法、及び装置に見られるように、監視カメラとパソコンとを通信ネットワークを利用して遠隔管理する技術が公知である。【０００３】  特開２００２−１３３５５９号公報に記載の管理対象施設の遠隔管理方法は、同公報における特許請求の範囲の請求項１には、監視担当者側又は管理対象施設関係者とが互いに、通信ネットワークを利用して、監視担当者側又は監視対象施設側のカメラで撮影された自己の要望を含む画像を相手方の画像表示器に表示するとともに音声を相手方の通話器に送信することにより、容貌を互いに確認し合いながら会話を行い、監視担当者が、上記会話に基づいて管理対象施設の管理業務を行う方法であることが記載されており、
同公報の請求項７には、監視担当者が、通信ネットワークを利用して、管理対象施設内の設備機器を遠隔制御する方法であることが記載されており、
同公報の請求項３２には、監視担当者側コンピュータが、監視担当者が管理対象施設内の設備機器を監視担当者側から遠隔制御する設備機器制御装置が設けられている遠隔管理システムが記載されている。
そして、請求項４１には、通信ネットワークを介して、管理対象施設内の設備機器を監視担当者側から遠隔制御する設備機器制御装置が設けられている管理対象施設の遠隔管理システムが記載されている。【０００４】  特開２０００−１０５８９６号公報において、請求項８には、電話回線もしくは電話回線を用いたパソコン通信ネットワークによって、各駐車場の少なくとも駐車台数情報、混雑情報及び個別情報等の駐車場情報等の駐車場情報を収集し、これら情報を管理るとともに、電話回線もしくは電話回線を用いたパソコン通信ネットワークを介して送信可能な中央監視装置を設け、前記各駐車場には、駐車場内の制御機器の故障を検知する監視制御盤を具備するとともに、前記中央監視装置には、故障発生時に前記監視制御盤から故障情報を受けるとともに該故障情報を外部に送信可能な中央演算装置を設け、前記中央監視装置は予め各駐車場毎に指定されたサービス会社に対して故障発生を通報する自動車の駐車場の総合サービスを行う装置であることが記載されている。
【発明が解決しようとする課題】
【０００５】  しかしながら、特開２００２−１３３５５９号公報に記載の管理対象施設の遠隔管理方法において、請求項１、請求項７、請求項３２に記載の遠隔管理方法は、監視担当者と管理対象施設関係者とが、自己の容貌を含む画像を相手方の画像表示器に表示しつつ通話器で互いに会話を行って、管理対象施設の管理を行うシステムであるために、無人の管理対象施設には対応出来ないという不具合がある。
【０００６】  これに対して、請求項４１に記載の管理対象施設の遠隔管理システムは、遠隔地から、通信ネットワークを介して、無人の管理対象施設内の設備機器を遠隔制御できるシステムであるために、上述した不具合は解消されているが、この設備機器の制御が設備機器制御装置で行われるものであるため、多種の設備機器を集中管理する場合には、操作がわかり難くなり、誤動作をさせたりすることがある。また、この装置による設備コストアップを招くという不具合がある。
【０００７】  一方、特開２０００−１０５８９６号公報における請求項８に記載の自動車の駐車場の総合サービスを行う装置は、故障を遠隔操作で修復する機能を持たないために、故障現場に直行することが必要になり、このため、故障の修復に迅速な対応が出来ず、しかも、故障現場に直行する人の要員確保による人件費が監視コストを押し上げるという不具合がある。
【０００８】  また、従来技術の欄に記載していないが、従来の店舗内の防犯システムでは、ＰＯＳレジスタ周辺を監視カメラで撮影して、その画像をパソコンのディスプレイに表示し、この画像データを記憶媒体に格納する機能を持つものが、一般に知られているが、監視カメラがＰＯＳレジスタとが連動するシステムになっていないために、レジ現場において商品がＰＯＳレジスタのスキャナーで正確に読み取られているのか否かを監視することが出来なかった。このためＰＯＳレジスタで清算されないで商品を持ち帰らせるという不正に対応できなかった。
【０００９】  また、従来の一般家屋やビルなどに設備されている監視カメラは、玄関などの入り口周辺を撮影して不審者を撮影するために使用されているが、玄関の扉、窓などの錠装置の操作部をズームアップして撮影するシステムになっていなかったために、居住者自身が、出先から、携帯電話器などの通信端末機器のディスプレイを見ながら扉や窓の施・開錠をしても、正確に施・開錠されているのか目で見て確認出来る仕組みになっていなかったために、安心出来ないことがあった。
【００１０】  本発明の遠隔監視システムは、上述した不具合が無く、手頃な費用で自前の監視ができる遠隔制御システムを提供することにある。
【課題を解決するための手段】
【００１１】  本発明の請求項１に記載の遠隔監視システムは、複数の監視ポイントごとに設置した監視カメラと監視ポイント近傍又は監視施設に設置したパソコンとが有線又は無線で接続され、該パソコンと、遠隔地のパソコン、携帯電話器、ＰＤＡなどのディスプレイを備えた通信端末機器とが、通信回線又は無線によるインターネット又はイントラネットで接続されて、監視ポイントの様子が遠隔地から知り得る、その様子が記憶可能に構成されている遠隔監視システムであって、
前記通信端末機器のディスプレイには、前記監視カメラで撮影した監視ポイントの画像が表示可能であり、
さらに、前記通信端末機器を操作して、前記監視カメラを制御させ、或いは、前記通信端末機器に表示されている画像をズームアップさせて、通信端末機器のディスプレイに、監視ポイントに設けられている設備機器の操作盤の操作パネルを拡大表示し、この操作パネルに設けられている押ボタン画像をディスプレイ上で押操作することにより、前記操作盤の操作が遠隔操作されるようにプログラム制御されていることを特徴としている。
【００１２】  本発明の請求項１に記載の遠隔監視システムは、監視業務を行う事業者が各監視施設の監視を集注監視するために構築することは勿論可能であるが、手頃な費用で自前で遠隔監視することが出来るシステムである。
そして、その監視は、パソコンだけでなく、ＰＤＡや携帯電話器を利用して、出先からでも自由に行える。
このため本発明のシステムによる監視は、監視カメラで撮影した影像の画像データを、インターネット又はイントラネットを利用して、遠隔地のパソコン、ＰＤＡ、携帯電話器などの通信端末機器に送信し、この送信した画像データを通信端末機器のディスプレイに表示させ、これの画像を目で見ることができる監視である。このため、監視施設にもデータ送受信用のパソコンが設置されている。尚、監視カメラ自体に送受信機能を持たせても構わなく、この場合には、監視施設にパソコンを設置する必要はない。
本発明でいう遠隔地は、通信機能を持つパソコンを設置した集中監視センター、インターネット又はイントラネットに接続してこのシステムを動作させる暗証番号が登録された個人又は会社が所有する、パソコン、携帯電話器、ＰＤＡを所持している場所である。
そして、監視者は、集中監視室に居る監視者だけでなく、顧客がこれを購入して自前の監視システムにすることが可能である。
【００１３】  そして、本発明の請求項２では、前記設備機器が、監視カメラの操作盤とした遠隔監視システムにした。
このようなシステムにすると、通信端末機器の操作により、遠隔地から、監視カメラの方向制御、ズーム制御が可能になる。その操作は、通信端末機器に表示した監視カメラの操作盤の押ボタン画像をディスプレイ上で押操作（クリック、又はＥｎｔｅｒキーなどのキー入力）により行われる。尚、監視カメラのＯＦＦ操作も同様にしても構わないが、ＯＮ入力の場合は、監視カメラで操作盤を撮影していない状態からスタートするので、通信端末機器のディスプレイに表示したカメラスイッチの画像を押操作して行う。このディスプレイには、監視カメラの詳細な初期設定、撮影した画像の詳細な設定、記憶媒体に記憶させる設定、監視カメラが複数設置されている場合には、所望の監視カメラを選択する設定、などを行う画像が表示され、この画像の押ボタン画像を入力又は文字入力することによりこれらの設定が行われる。監視カメラのＯＮ／ＯＦＦもこの画像から行うようにしても良い
通信端末機器がパソコンの場合には、このパソコンのディスプレイの表示された操作盤の押ボタン画像をマウスでクリックすると、この押ボタンの入力ができるように、プログラム制御されている。更に具体的には、例えば、この押ボタンの画像をＸＹ座標から読み取って、この位置にマウスポインタを合わせて入力すると、操作盤の押ボタンに操作信号が送られて、押ボタンが入力されるようにプログラム制御されている。即ち、各監視カメラの切替と制御は、制御用のソフトウエアプログラムに沿った制御で行われる。このため、方向制御できる機能を備えた監視カメラの場合には、遠隔制御用の制御装置は不要になる。
通信端末機器が、ＰＤＡ、携帯電話器の場合には、ディスプレイに表示した押ボタン画像の選択と入力は、テンキー、ジョグキーを操作して行うようにプログラム制御されている。
【００１４】  そして、本発明の請求項３に記載の遠隔監視システムでは、請求項１に記載のシステムにおける前記設備機器が、駐車場の操作盤である遠隔制御システムにした。
このようにすると、駐車場の操作盤の操作が、監視カメラでズームアップして撮影した操作盤の画像を見ながら、この操作盤の押ボタン画像を入力して行うという遠隔制御ができるようになる。
即ち、通信端末機器がパソコンの場合には、このパソコンのディスプレイの表示された操作盤の押ボタン画像をマウスでクリックすると、この押ボタンの入力ができるように、プログラム制御されている。更に具体的には、例えば、この押ボタンの画像をＸＹ座標から読み取って、この位置にマウスポインタを合わせて入力すると、操作盤の押ボタンに操作信号が送られて、押ボタンが入力されるようにプログラム制御されている。
また、駐車場の操作盤には、７セグメント又は液晶の表示部が設けられて、この表示部に、駐車場のパレット番号や駐車金額などが表示されるようになっており、更に駐車場の装置の故障や誤動作、非常停止があった場合に、その原因と対処方法を示す数値又は符号が表示されるようになっている。本発明では、この表示部に表示された数値、例えば「９９９」、或いは符号、例えば「ＡＷＳ」などを、通信端末装置のディスプレイで見て、これに対応させた押ボタン操作を行って、駐車場装置の動作を正常に復帰させるようにした。
尚、通信端末機器が、ＰＤＡ、携帯電話器の場合には、ディスプレイに表示した押ボタン画像の選択と入力は、テンキー、ジョグキーを操作して行うようにプログラム制御されている。
【００１５】  そして、本発明の請求項４に記載の遠隔監視システムでは、請求項１に記載のシステムにおける前記設備機器が、建物又は施設の扉、ゲート、窓などの電気錠である遠隔制御システムにした。
このようなシステムにすると、遠隔地から電気錠が施錠されているのを目で見て確認し、遠隔操作できる。
【００１６】  そして、本発明の請求項５に記載の遠隔監視システムでは、請求項１に記載のシステムにおける前記設備機器が、店舗内に設置されているＰＯＳレジスタである遠隔制御システムにした。
このようなシステムにすると、ＰＯＳレジスタの遠隔監視が監視カメラで出来るようにし、更に、ＰＯＳレジスタと監視カメラとを連動させて、ＰＯＳレジスタを使用しているときには、監視カメラをＰＯＳレジスタ又はＰＯＳレジスタの周辺に焦点を合わせてズームアップさせることができるようになり、ＰＯＳレジスタで商品を売上げ処理させないレジ側の不正を監視して、防ぐことができるようになる。また、レジ内の金銭管理にも役立つ。
【００１７】  そして、本発明の請求項６に記載の遠隔監視システムでは、請求項５に記載のシステムおいて、
前記監視カメラは、ＰＯＳレジスタのキー、バーコードスキャナー、非接触式ＩＤ］チップの読取器の少なくともいずれかを含めた周辺部をズームアップすることが可能であり、かつ、ズームアップして前記通信端末機器のディスプレイに表示された画像と、ＰＯＳレジスタに入力されて前記通信端末機器のディスプレイに表示された売上げ明細の画像とが、時間タイミングを合わせて同時表示され、かつ記憶可能に構成されている遠隔監視システムにした。
このようにすると、ＰＯＳレジスタによる商品購入金額の入力と監視カメラで撮影した影像の画像を、記憶媒体にタイミングを合わせて同時入力して、これを遠隔地のパソコンのディスプレイに表示して売上げ確認できるようになる。
【発明の効果】
【００１８】  本発明の請求項１に記載の遠隔監視システムでは、監視カメラで撮影した影像の画像データを、インターネット又はイントラネットを利用して、遠隔地のパソコン、ＰＤＡ、携帯電話器などの通信端末機器に送信し、この送信した画像データを通信端末機器のディスプレイに表示させ、これを目で見ることにより監視が出来るようにした結果、監視カメラで撮影した監視ポイントの影像の画像を、パソコン、ＰＤＡ、携帯電話器を使用して、これらのディスプレイに表示し、これを見て監視できるようになった。このため、監視ポイントの監視を、時間と場所を問わず、遠隔地から、目で見て監視出来るようになり、正確で安心のできる監視が出来るようになった。
また、本発明の遠隔監視システムでは、監視カメラの遠隔操作が、プログラムソフトウエアに沿って行われるようにした結果、比較的安価で市場に供給でき、顧客の自前による経済的な遠隔監視システムにすることが出来るようになった。
【００１９】  そして、本発明の請求項２に記載の遠隔監視システムでは、更に、監視カメラの操作や制御も、これらのディスプレイに表示された監視カメラの操作も、これらのディスプレイに表示された監視カメラの操作盤の画像を見ながら、ディスプレイ上で出来るようになったため、監視カメラの操作が容易に遠隔操作出来るようになった。
【００２０】  そして、本発明の請求項３に記載の遠隔監視システムでは、請求項１に記載のシステムにおける前記設備機器が、駐車場の操作盤である遠隔制御システムにした結果、駐車場の監視だけでなく、駐車場の操作盤の操作が、監視カメラでズームアップして撮影した操作盤の画像を見ながら、この操作盤の押ボタン画像を入力して遠隔制御出来るようになった。
このため、遠隔地の駐車場、夜間の駐車場などで発生した駐車場設備機器のトラブルにも、現場に行かなくても対応出来るようになり、駐車場で立ち往生している顧客に掛かる迷惑を、極力抑えることが出来、駐車場の監視と管理に必要な人件費、設備コストも可能な限り抑えることが出来るようになった。
【００２１】  そして、本発明の請求項４に記載の遠隔監視システムでは、請求項１に記載のシステムにおける前記設備機器が、建物又は施設の扉、ゲート、窓などの電気錠である遠隔制御システムにした結果、遠隔地から、電気錠が施錠されているかどうかを目で確認出来るようになり、施・開錠に対する信頼性・安心性を飛躍的に向上させることが出来るようになった。
【００２２】  そして、本発明の請求項５に記載の遠隔監視システムでは、請求項１に記載のシステムにおける前記設備機器が、店舗内に設置されているＰＯＳレジスタである遠隔制御システムにした結果、ＰＯＳレジスタの遠隔監視が監視カメラで出来るようになり、ＰＯＳレジスタで商品を売上げ処理させないレジ側の不正を監視して、不正を防ぐことが出来るようになった。また、レジ内の金銭管理にも役立てることが出来るようになった。
【００２３】  そして、半発明の請求項６に記載の遠隔監視システムでは、更に、前記監視カメラは、ＰＯＳレジスタのキー、バーコードスキャナー、非接触式ＩＤ］チップの読取器の少なくともいずれかを含めた周辺部をズームアップすることが可能であり、かつ、ズームアップして前記通信端末機器のディスプレイに表示された画像と、ＰＯＳレジスタに入力されて前記通信端末機器のディスプレイに表示された売上げ明細の画像とが、時間タイミングを合わせて同時表示され、かつ記憶可能に構成されている遠隔監視システムにした結果、ＰＯＳレジスタによる商品購入金額の入力と監視カメラで撮影した影像の画像を、記憶媒体にタイミングを合わせて同時入力して、これを遠隔地のパソコンのディスプレイに表示して売上げ確認できるようになり、ＰＯＳレジスタで商品を売上げ処理させないレジ側の不正を監視して、不正を防ぐことを一層、厳格に実施出来るようになった。また、レジ内の金銭管理も更に向上させることが出来るようになった。
【発明を実施するための最良の形態】
【００２４】  本発明を実施するための最良の形態を実施例に示す。
【実施例１】
【００２５】  図１は、本発明による遠隔管理システムの構成図を示した１実施例である。
図１に示すように、本発明の遠隔管理システムは、監視対象施設１内の各監視ポイントを監視カのメラ２，２，２・・・撮影した画像を監視対象施設１内に設置したパソコン３，３，３に入力し、この入力した画像データを、インターネットを介して、遠隔地４の中央監視センター５内のパソコン６，６、又は本システムの暗証番号を登録した会社、個人が所有するパソコン７、ＰＤＡ８、携帯電話器９などの通信端末機器のディスプレイに表示させる。
このようにすると、遠隔地４から監視ポイントの様子を目で見て監視したり確認出来る。また、これらのパソコン６，６，７、ＰＤＡ８，携帯電話器９を操作して、各監視カメラ２，２，２・・のＯＮ／ＯＦＦ、切替、方向制御及びズーム制御を適宜行って、監視ポイントを監視することができる。
例えば、監視対象施設１がスーパーマーケットなどのようにＰＯＳレジスタ１０を設置している場合には、このＰＯＳレジスタ１０に監視カメラ２を向けて、ＰＯＳレジスタ１０による商品販売管理と監視カメラ２による監視とを連動させて、ＰＯＳレジスタ１０を通さないレジ現場での商品持ち出しを防ぐために用いられるシステムである。図中、１１は、中央監視センター５内に設置されている各パソコン６，６をインターネット環境に接続したサーバである。
そして、遠隔地４のパソコン６，６，７、ＰＤＡ８内に送信されてきた監視ポイントの画像を、各々に内装されているハードディスク、又は、ＤＶＤＲ，ＤＶＤＲＷ，ＣＤＲ，ＣＤＲＷなどに格納し、その後、適宜読み出してディスプレイに表示可能である。【００２６】  本発明の遠隔監視システムを設置した際には、最初に、インターネットにより、本システムのＷｅｂサイトを開き、暗証番号を入力する。暗証番号が登録した暗証番号と一致すると、監視対象施に設置したパソコンと、遠隔地のパソコン、ＰＤＡ、携帯電話器などの通信端末機器とが、インターネット又はイントラネットで接続されて、相互通信可能な状態になる。【００２７】  そして、その後、遠隔地の通信端末機器を利用して、監視カメラの初期設定を行う。尚、この初期設定は、監視施設に接続したパソコンですることも可能である。【００２８】  図２は、パソコンのディスプレイに表示された監視カメラの初期設定画面を示している。
図２に示すように、監視カメラの初期設定を行う。図２に示す初期設定画面では、上段にカメラと、ＩＣディバイスと、自動通報／ネットワーク設定と、が区分けされた押ボタン画像２１が表示され、その下段に複数台の監視カメラの選択を行う押ボタン画像２２が表示され、更にその下方の左半分には、各監視カメラの詳細な設定を行う欄２３が表示され、右半分の上段には、録画の詳細な設定を行う欄２４が表示され、その下段には、選択した監視カメラで撮影した監視スポットの影像を画像表示する欄２５が表示され、これらの欄に沿って、カメラ設定を行う。これらの表示はカメラ設定用プログラムソフトウエア上で行われる。監視カメラが複数台設置される場合には、監視カメラごとにカメラ設定をする。
カメラ設定を終えると、監視カメラで撮影した監視ポイントの影像の画像が、インターネット又はイントラネットを介して、通信端末機器のディスプレイに表示される。【００２９】  図３は、パソコンのディスプレイに表示されたマルチビュー画面を示している。
監視カメラを複数台設置している場合には、図３に示すように、各監視カメラで撮影した影像は、パソコンのディスプレイにマルチビュー画面３１で表示され、この画面３１の右方には、監視カメラの選択をする押ボタン画像３３、監視カメラの上下左右の方向を制御する押ボタン画像３２、監視カメラのズーム調整をする押ボタン画像３４などが表示され、マルチビュー画面３１の下方には、監視カメラで撮影した影像の画像を記憶させたり再生させる押ボタン画像類３５等が表示される。る。監視カメラを１台設置した場合には、シングルビュー画面で表示される。押ボタン画像３３にマウスポインタを合わせてクリックし、或いは、マルチビュー画面の１箇所にマウスポインタで指定してクリックさせると、その画像のみのシングルビューで表示される。これらの実行はカメラ設定用プログラムソフトウエアに沿って行われる。【００３０】  図４は、立体駐車場設備装置の操作盤を示し、図５は、この操作盤を監視カメラで撮影し、その影像の画像を遠隔地のパソコンのディスプレイに表示させた画面を示している。
図４に示す操作盤４０は、その前面パネル４１には、「操作可」、「運転中」、「入出庫可」の各ランプ４２，４３，４４と、７セグメント３桁の表示部４５と、パレット番号を指定するテンキー４６と、「運転」、「復帰」、「非常停止」の各押ボタンスイッチ４７，４８，４９が設けられており、駐車場装置に不具合が発生したり、誤操作により駆動が停止すると表示部にその内容が数値、例えば、「９９９」で表示される、一般的によく知られる操作盤である。
本発明の遠隔監視システムは、監視カメラは、立体駐車場の入口周辺から内部が監視できる位置に設置され、操作盤４０も撮影出来る位置にある。そして、その撮影した影像の画像は、インターネット又はイントラネットを介して、図３に示すように、遠隔地のパソコンのディスプレイに画像表示される。
そして、この画像をシングルビューに切り替えて、ズームアップして操作盤４０を拡大して示すと、図５に示す画像が表示される。
遠隔地に居る管理者（監視者）は、駐車場装置に不具合が発生した連絡があると、図５に示すようにパソコンのディスプレイに操作盤４０の画像をズームアップ表示させる。そして、この画像４０の表示部４５の画像に表示されている数字を見て、駐車場装置の不具合を確認し、これを修復させる操作を、ディスプレイに表示されている操作盤４０の各押ボタン画像４６〜４９を、画面上で行って、現物の操作盤４０にその操作信号を送信する。
【実施例２】
【００３１】  図６は、スーパーマーケットのＰＯＳレジスタとその周辺を監視カメラで撮影した影像の画像と、そのときにＰＯＳレジスタに入力した内容を、リアルタイムで遠隔地のパソコンのディスプレイに表示させた画面を示している。
本実施例の遠隔監視システムでは、図６に示すように、監視カメラは、ＰＯＳレジスタ１０とその周辺を撮影する位置に設置され、監視カメラをズームアップさせて、遠隔地のパソコンのディスプレイに、ＰＯＳレジスタ１０の操作面及びスキャナー１１辺りを表示させることが可能である。また、本実施例の遠隔監視システムでは、ＰＯＳレジスタ１０による売上げ入力があると、その内容が監視カメラで撮影した影像の画像とともに前記ディスプレイにリアルタイムで表示され、これらの画像がパソコンのハードディスク、又は、ＤＶＤＲ，ＤＶＤＲＷ，ＣＤＲ，ＣＤＲＷなどに格納し、その後、適宜読み出してディスプレイに表示可能なシステムになっている。
更に好ましくは、スキャナー等の読取り器で、商品に付されているバーコード、非接触式ＩＤチップの読取りがあると、パソコンのディスプレイに表示されている画面の点灯表示部５１が点灯したり、信号音が出力するようにする。
このようにすると、ＰＯＳレジスタで売上げされないで、レジを通過させる不正を防ぐことができる。また、レジ内の金銭管理も監視できる。【００３２】  図７は、パソコンディスプレイに表示されたＷｅｂＣａｍ画面を示し、図８（ａ）は、ＰＤＡを示し、図８（ｂ）は携帯電話器の一部を示している。
図７に示すように、本発明の遠隔監視装置では、各監視カメラで撮影した影像の画像をＷｅｂＣａｍ画面５０Ａ，５０Ｂとしてディスプレイに表示することも可能である。図７では、１つのディスプレイに２つのＷｅｂＣａｍ画面が表示されており、各ＷｅｂＣａｍ画面５０Ａ，５０Ｂには、監視カメラで撮影した影像の画像が表示され、その下方には、各画像の切替、保存、監視カメラの向きの制御、ズーム制御、マルチビュー表示への切替などを行う操作ボタン画像類５１が表示されている。【００３３】  また、図８（ａ）に示すように、ＰＤＡ８のディスプレイ８ａ、図６（ｂ）に示すように、携帯電話器９のディスプレイ９ａに表示することも可能である。
【図面の簡単な説明】
【００３４】
【図１】本発明による遠隔管理システムの構成図を示した１実施例である。
【図２】パソコンのディスプレイに表示された監視カメラの初期設定画面を示した図である。
【図３】パソコンのディスプレイに表示されたマルチビュー画面を示した図である。
【図４】立体駐車場設備装置の操作盤を示した図である。
【図５】操作盤を監視カメラで撮影し、その影像の画像を遠隔地のパソコンのディスプレイに表示させた画面を示した図である。
【図６】スーパーマーケットのＰＯＳレジスタとその周辺を監視カメラで撮影した影像の画像と、そのときにＰＯＳレジスタに入力した内容を、リアルタイムで遠隔地のパソコンのディスプレイに表示させた画面を示した図である。
【図７】パソコンディスプレイに表示されたＷｅｂＣａｍ画面を示した図である。
【図８】（ａ）は、ＰＤＡを示した図、（ｂ）は、携帯電話器の一部を示した図である。
【符号の説明】
【００３５】    １    監視対象施設
２    監視カメラ
３    パソコン
４    遠隔地
５    中央監視センター
６    パソコン
７    パソコン
８    ＰＤＡ
９    携帯電話器
１０    ＰＯＳレジスタ
１１    サーバ
【図１】
2006115435.tif 000003
【図２】
2006115435.tif 000004
【図３】
2006115435.tif 000005
【図４】
2006115435.tif 000006
【図５】
2006115435.tif 000007
【図６】
2006115435.tif 000008
【図７】
2006115435.tif 000009
【図８】
2006115435.tif 000010